(57)【要約】【課題】本発明は、産業車両の操作状態、及び、産業車両に積載される荷の状態に応じて産業車両の性能を最大限に発揮する観点からの制御を可能にして作業効率の向上を図ることができる産業車両の制御装置を提供することを目的とする。【解決手段】リフト装置１４による荷の昇降速度の上限値を設定する昇降速度上限値設定手段６１を備えており、走行操作状態検出手段３９、４０で検出されている操作状態が前記不走行操作状態であり、リフト操作検出手段３６でリフト操作手段２６が操作されている状態であることが検出されており、荷積載重量検出手段４１で検出された荷の重量が所定の重量閾値以下であり、積載安定度判断手段６０で判断された荷の積載状態の安定度が所定の安定度以上であるときは、リフト装置１４による荷の昇降速度の上限値を、通常上限値Ｌ１よりも大きい所定の上限値Ｌ２に設定可能とする。【選択図】図２
2008127178.tif 000002
【特許請求の範囲】
【請求項１】
荷の昇降動作を行うリフト装置を有する産業車両に備えられる制御装置であって、
作業者が前記産業車両の走行を意図している操作状態である走行操作状態と、作業者が前記産業車両の走行を意図していない操作状態である不走行操作状態とを検出する走行操作状態検出手段と、
前記産業車両が積載している荷の重量を検出する荷積載重量検出手段と、
前記産業車両が積載している荷の積載状態の安定度を判断する積載安定度判断手段と、
前記リフト装置による荷の昇降速度の上限値を設定する昇降速度上限値設定手段と、
を備え、
前記昇降速度上限値設定手段は、
（１）前記走行操作状態検出手段で検出されている操作状態が前記不走行操作状態であり、
（２）前記荷積載重量検出手段で検出された荷の重量が所定の重量閾値以下であり、
（３）前記積載安定度判断手段で判断された荷の積載状態の安定度が所定の安定度以上である
ときは、前記リフト装置による荷の昇降速度の上限値を、前記（１）〜（３）の条件の少なくともいずれか一つを満たさない場合の上限値よりも大きい所定の上限値に設定可能とすることを特徴とする産業車両の制御装置。
【請求項２】
前記リフト装置を操作するリフト操作手段の操作状態を検出するリフト操作検出手段を更に備え、
前記昇降速度上限値設定手段は、前記（１）〜（３）の条件を全て満たすとともに、前記リフト操作検出手段で前記リフト操作手段が操作されている状態であることが検出されている場合に限り、前記リフト装置による荷の昇降速度の上限値を、前記所定の上限値に設定可能とすることを特徴とする請求項１に記載の産業車両の制御装置。
【請求項３】
前記所定の重量閾値は、前記積載安定度判断手段により判断される安定度に基づいて、安定度が大きいほど、閾値が大きくなるように決定されることを特徴とする請求項１又は請求項２に記載の産業車両の制御装置。
【請求項４】
予め設定されている複数の荷の形状及び姿勢のパターンから作業者が選択して入力することが可能な荷姿パターン入力手段を更に備え、
前記積載安定度判断手段は、前記荷姿入力手段から入力されたパターンに基づいて、荷の安定度を判断することを特徴とする請求項１乃至請求項３の少なくともいずれか１項に記載の産業車両の制御装置。
【発明の詳細な説明】
【技術分野】
【０００１】
本発明は、荷の昇降動作を行うリフト装置を有する産業車両の制御装置に関する。
【背景技術】
【０００２】
従来、荷の昇降動作を行うリフト装置を有する産業車両においては、例えば、特許文献１に記載されているように、車両の走行を行うための走行機構部がエンジンによって駆動されるとともに、そのエンジンによって走行機構部以外の他の機構部である荷役アクチュエータ等も駆動される構成の産業車両が知られている。この産業車両の制御方法は、その運転状態に対応したエンジン回転数の制御を行うものであり、荷役レバーの操作量、アクセルペダルの踏込量およびクラッチ機構ペダルの踏込量に関する各情報に基づいてエンジンの空ぶかしの状態が生じることによる騒音の上昇等の問題の発生を抑制することを目的としている。
【０００３】
【特許文献１】特開２００４−１１４６９号公報
【発明の開示】
【発明が解決しようとする課題】
【０００４】
しかしながら、上記特許文献１に記載された産業車両の制御方法は、エンジンの空ぶかし抑制の観点から、荷役レバー、アクセルペダルおよびクラッチ機構ペダルの操作状態に応じ、いずれの操作を優先させるかを決定してエンジン回転数の制御が行われるものとなっている。そして、産業車両の走行性能から決定されるエンジンの最高回転数までの範囲内で、荷役レバーやアクセルペダル等の操作状態を考慮した回転数制御が行われるものである。このため、産業車両の操作状態に応じてエンジンの性能、即ち、産業車両の性能を最大限に利用するという観点から、最適な制御を行うという要求に答えることはできない。
また、特許文献１に記載の産業車両の制御方法においては、産業車両に積載されている荷の状態は考慮されていないため、積載されている荷の状態との関係において、産業車両の最適な制御がなされているとはいえない。そのため、産業車両の性能を十分に発揮できず、低効率で作業を行わざるを得ないといった問題もある。
【０００５】
本発明は、上記実情に鑑みることにより、産業車両の操作状態、及び、産業車両に積載される荷の状態に応じて産業車両の性能を最大限に発揮する観点からの制御を可能にして作業効率の向上を図ることができる産業車両の制御装置を提供することを目的とする。
【課題を解決するための手段及び効果】
【０００６】
本発明は、荷の昇降動作を行うリフト装置を有する産業車両の制御装置に関する。そして、本発明に係る産業車両の制御装置は、上記目的を達成するために以下のようないくつかの特徴を有している。すなわち、本発明の産業車両の制御装置は、以下の特徴を単独で、若しくは、適宜組み合わせて備えている。
【０００７】
上記目的を達成するための本発明に係る産業車両の制御装置における第１の特徴は、荷の昇降動作を行うリフト装置を有する産業車両に備えられる制御装置であって、作業者が前記産業車両の走行を意図している操作状態である走行操作状態と、作業者が前記産業車両の走行を意図していない操作状態である不走行操作状態とを検出する走行操作状態検出手段と、前記産業車両が積載している荷の重量を検出する荷積載重量検出手段と、前記産業車両が積載している荷の積載状態の安定度を判断する積載安定度判断手段と、前記リフト装置による荷の昇降速度の上限値を設定する昇降速度上限値設定手段と、を備え、前記昇降速度上限値設定手段は、（１）前記走行操作状態検出手段で検出されている操作状態が前記不走行操作状態であり、（２）前記荷積載重量検出手段で検出された荷の重量が所定の重量閾値以下であり、（３）前記積載安定度判断手段で判断された荷の積載状態の安定度が所定の安定度以上であるときは、前記リフト装置による荷の昇降速度の上限値を、前記（１）〜（３）の条件の少なくともいずれか一つを満たさない場合の上限値よりも大きい所定の上限値に設定可能とすることである。
【０００８】
この構成によると、産業車両の操作状態、即ち、走行状態であるか否かに応じて、又、産業車両に積載される荷の状態、即ち、積載されている荷の重量、荷の積載状態の安定性、に応じて、リフト装置による荷の昇降速度の上限値を上昇させることができる。これにより、車両の走行動作に影響を与えない状態において、当該産業車両の性能を最大限に利用し、より早い速度でのリフト装置による昇降動作を可能とし、作業効率の向上を図ることができる。
【０００９】
特にこの構成によれば、走行操作されていない不走行状態であっても、積載されている荷の重量が所定の重量閾値よりも大きい場合は、昇降速度の上限値を上昇させることはないため、安定したリフト動作を自動的に確保することができる。
【００１０】
また、荷の積載状態の安定度を考慮して昇降速度の上限値を上昇させる構成である。
仮に、リフト装置による荷の昇降速度の上限値の上昇許可を与えるために、荷の積載状態の安定度を考慮しないとすると、不安定な積載状態の場合に荷崩れ等が起きないようにするため、例えば、前記重量閾値をより小さな値に設定するなど、前記上限値の上昇許可が与えられるための制限を厳しくする必要がある。このように上昇許可が与えられるための制限が厳しくなると、荷が安定した状態で積載されているにもかかわらず、前記上限値の上昇許可が与えられず、非効率的な作業を強いられる虞がある。
しかしながら、本発明の構成によると、積載安定度判断手段を備え、荷の積載状態の安定度を前記上限値の上昇許可を与えるか否かの判断条件の一つとしている。即ち、荷の安定度が所定の安定度よりも小さい場合（荷の積載状態が不安定な場合）は、前記上限値を上昇できないようになる。これにより、不安定な積載状態でも荷崩れが起きないようにするために、前記上限値の上昇許可が与えられるための制限を過剰に大きく設定する必要はなくなり、より大きい上限値に設定され易くすることが可能である。これにより、リフト装置による昇降時における荷積載状態の安定性を確保しながら、昇降速度をより速くすることができ、作業効率を高めることが可能となる。
【００１１】
また、本発明に係る産業車両の制御装置における第２の特徴は、前記リフト装置を操作するリフト操作手段の操作状態を検出するリフト操作検出手段を更に備え、前記昇降速度上限値設定手段は、前記（１）〜（３）の条件を全て満たすとともに、前記リフト操作検出手段で前記リフト操作手段が操作されている状態であることが検出されている場合に限り、前記リフト装置による荷の昇降速度の上限値を、前記所定の上限値に設定可能とすることである。
【００１２】
この構成によると、不走行状態で走行に影響を与えない状態であるとともにリフト装置の操作がされている状態のときに限り、リフト装置の性能を最大限に発揮させる観点でのリフト装置の昇降速度の上限値を設定することができる。このため、リフト装置の操作がされていない状態において、不要に昇降速度の上限値を上昇させることにより、例えば他の荷役アクチュエータ等の作動に影響を与えることを防ぐことができる。
【００１３】
また、本発明に係る産業車両の制御装置における第３の特徴は、前記所定の重量閾値は、前記積載安定度判断手段により判断される安定度に基づいて、安定度が大きいほど、閾値が大きくなるように決定されることである。
【００１４】
この構成によると、リフト装置の昇降速度の上限値を上昇させるか否かの判断するための所定の重量閾値が、荷の積載状態の安定度に対応した重量閾値となるため、荷の積載状態の安定性がより高ければ、より重量の大きい荷が積載されている場合にも前記上限値を上昇させることが可能となる。これにより、リフト装置による昇降時における荷積載状態の安定性を確保しながら、昇降速度を更に速くすることができ、作業効率を高めることが可能となる。
【００１５】
また、本発明に係る産業車両の制御装置における第４の特徴は、予め設定されている複数の荷の形状及び姿勢のパターンから作業者が選択して入力することが可能な荷姿パターン入力手段を更に備え、前記積載安定度判断手段は、前記荷姿入力手段から入力されたパターンに基づいて、荷の安定度を判断することである。
【００１６】
この構成によると、作業者は作業時において積載する荷と同様の（又はそれに近い）荷姿のパターンを選択して入力することで、容易に昇降時における荷積載状態の安定性が確保されるような昇降速度の上限値を設定することが可能となる。これにより、作業者の入力作業の負担が減り、効率よく作業を行うことが可能となる。
【００１７】
また、上記特徴を有する産業車両の制御装置に、さらに以下の特徴を付与することも可能である。例えば、前記産業車両に積載される荷の所定の代表寸法を入力可能な代表寸法入力手段を更に備え、前記積載安定度判断手段は、前記代表寸法入力手段から入力された代表寸法に基づいて、荷の安定度を判断する構成とすることができる。
【００１８】
この構成によると、例えば、荷の高さ、幅、奥行き等の作業者から入力された１又は複数の荷の代表寸法に基づいて、当該荷の安定度が判断される。これにより、作業者は作業時において積載する荷の詳細を入力する必要はなく、代表寸法を入力することで、容易に昇降時における荷積載状態の安定性が確保されるような昇降速度の上限値を設定することが可能となる。
【００１９】
また、前記積載安定度判断手段は、前記代表寸法入力手段から入力された代表寸法に基づいて、荷の底面の面積と荷の高さとを比較することにより、荷の安定度を判断する構成とすることもできる。
【００２０】
この構成によると、荷の底面の面積が大きいほど、また、荷の高さが低いほど、荷は安定して積載される場合が多いため、少なくとも荷の底面の面積が算出できる寸法と荷の高さの寸法とを入力することで、少ない入力データで適切な荷の安定度判断が可能となる。したがって、容易に昇降時における荷積載状態の安定性が確保されるような昇降速度の上限値を設定することが可能となる。
【００２１】
また、前記産業車両に積載される荷の形状データを入力可能な荷形状入力手段を更に備え、前記積載安定度判断手段は、前記荷形状入力手段から入力された荷の形状データに基づいて、荷の安定度を判断する構成とすることもできる。
【００２２】
この構成によると、例えば、三次元の形状データ等の作業者から入力された荷形状データに基づいて、当該荷の安定度が判断される。これにより、荷の詳細形状を考慮して安定度を判断することが可能となるため、積載される荷の形状に基づいて安定度を細かく設定することができる。したがって、昇降時における荷積載状態の安定性をより確実に確保することが可能となる。
【００２３】
また、前記産業車両に積載される荷の重心位置データを入力可能な重心位置入力手段を更に備え、前記積載安定度判断手段は、前記荷形状入力手段から入力された荷の重心位置データも考慮して、荷の安定度を判断する構成とすることもできる。
【００２４】
荷の重心位置は、産業車両に積載される荷の重量密度が荷全体に亘って均一であれば、荷の形状によって定められる。しかしながら、荷の重量密度が不均一である場合もあり得る。この場合、例え、荷の形状情報からは不安定と判断された場合においても、荷の重心が低い位置にあれば、安定な積載状態となる可能性もある。逆に、荷の形状情報からは安定と判断された場合においても、荷の重心が高い位置にあれば、不安定な積載状態となる可能性もある。
この構成によれば、荷の重心位置を考慮して当該荷の安定度が判断されるため、産業車両に積載される荷の重量密度が荷全体に亘って均一でない場合であっても、適切な安定度を判断することが可能となる。
【００２５】
また、前記昇降速度上限値設定手段は、前記積載安定度判断手段により判断された荷の安定度に対応するように前記所定の上限値を変更可能な構成とすることもできる。
【００２６】
この構成によると、荷が安定した状態で積載されている場合は、積載安定度判断手段により判断された荷の安定度が大きいほど、上昇目標となる所定の上限値をより大きくすることが可能になる。すなわち、積載安定度判断手段により判断された荷の安定度が所定の安定度以上であるか否かで昇降速度の上限値を上昇してよいか否かが決定されるだけでなく、上昇が許可された場合において、どの程度昇降速度の上限値を上昇可能とするかが積載安定度判断手段により判断された荷の安定度に基づいて決定されることになる。これにより、積載安定度判断手段により判断された荷の安定度が所定の安定度よりも高い場合においては、積載安定度判断手段により判断された荷の安定度に応じて更に昇降速度の上限値を大きくすることができ、したがって、リフト装置による昇降動作をより速く行うことが可能となる。よって、作業効率を更に高めることが可能となる。
【発明を実施するための最良の形態】
【００２７】
以下、本発明を実施するための最良の形態について図面を参照しつつ説明する。
【００２８】
（第１実施形態）
図１は、第１実施形態に係る産業車両の例示であるフォークリフト１０を斜め後方から見た斜視図である。図２は、フォークリフト１０の制御装置１（産業車両の制御装置）の構成をフォークリフト１０の一部構成とともに示す概略図である。
【００２９】
図１及び図２に示すように、フォークリフト１０は、エンジン１１や、トルクコンバータ１２、走行機構部１３などを備えており、動力伝達機構であるトルクコンバータ１２を介してエンジン１１によって前輪の走行機構部１３が駆動されるようになっている。即ち、フォークリフト１０は、前輪駆動・後輪操舵のトルクコンバータ式の四輪車として構成されている。
【００３０】
また、フォークリフト１０には、図１及び図２に示すように、荷（図示せず）の昇降動作を行う荷役アクチュエータであるリフト装置１４や、リフト装置１４の前後傾動作を行う荷役アクチュエータであるティルト装置１５なども備えられている。
【００３１】
リフト装置１４には、左右一対のアウタマスト１６と、その間において昇降可能に配設されたインナマスト（図示せず）とが設けられている。インナマストには、その上部にスプロケット１７に掛装されたチェーン１８を介してフォーク１９が昇降可能に吊り下げられている。アウタマスト１６は、フォークリフト１０の車体フレームに対して、ティルトシリンダ１５ａを介して傾動可能に連結されている。フォーク１９は、リフト装置１４におけるリフトシリンダ２０が駆動されてインナマストが上下動することにより昇降するようになっている。
【００３２】
また、リフト装置１４のリフトシリンダ２０やティルト装置１５のティルトシリンダ１５ａは、エンジン１１で駆動される油圧ポンプ２２からの圧油の供給及び排出によって作動するようになっている。即ち、図２に示すように、トルクコンバータ１２を介して走行機構部１３を駆動するエンジン１１によって、増速ギヤ２１を介して油圧ポンプ２２も駆動されるようになっている。そして、油圧タンク２４から吸い込まれて油圧ポンプ２２で昇圧された圧油は、複数の電磁弁を備えて構成される電磁弁ユニット２３における所定の電磁弁を介してリフトシリンダ２０やティルトシリンダ１５ａへと供給される。これにより、上昇動作や前傾動作が行われるように各シリンダ２０・１５ａが作動するようになっている。また、リフトシリンダ２０の作動による下降動作や、ティルトシリンダ１５ａの作動による後傾動作が行われる場合も、電磁弁ユニット２３の所定の電磁弁を介して油圧タンク２４に圧油が排出されることで、それらの各動作が行われるように各シリンダ２０・１５ａが作動することになる。
【００３３】
また、フォークリフト１０には、図１に示すように、作業者（運転者）の運転席に面する箇所に配置されるディレクションレバー２５、リフトレバー２６、ティルトレバー２７、アクセルペダル２８、ブレーキペダル２９、インチングペダル３０、ハンドル３１などが設けられている。
【００３４】
ディレクションレバー２５は、フォークリフト１０を前進させるための前進位置と後進させるための後進位置とエンジンの動力を走行駆動部に伝達しない中立位置とを切り換え操作可能な操作手段として構成されている。リフトレバー２６は、リフト装置１４を操作してフォーク１９の昇降動作を行うための操作手段として構成されている。ティルトレバー２７は、ティルト装置１５を操作してマスト１６の前後傾動作を行うための操作手段として構成されている。また、アクセルペダル２８はフォークリフト１０の走行速度の変更に用いられ、ブレーキペダル２９は走行中のフォークリフト１０に制動力を付与するために用いられる。インチングペダル３０は、エンジン１１と走行機構部１３との間のトルクコンバータ１２を介した連結状態を調節し、さらに解除するために用いられる。
【００３５】
また、図２に示すように、フォークリフト１０には、エンジン制御装置３２や、電磁弁ユニット２３の電磁弁の作動を制御して前述の荷役アクチュエータの動作を制御する荷役コントローラ３３が備えられている。エンジン制御装置３２は、フォークリフト１０の作業者によるアクセルペダル２８の操作量（踏込み量）を検出するアクセル角センサ３４からの出力に基づいて、エンジン１１の電子スロットル４４の開度を調整して、エンジン１１の回転数を制御する。これにより、アクセルペダル２８の操作量に応じた速度でフォークリフト１０が走行することになる。なお、エンジン制御装置３２は、エンジン１１に設けられてエンジン１１の回転数を検出する回転数センサ３５からの回転数検出信号も入力されるようになっており、これに基づいたフィードバック制御を行うようになっている。
【００３６】
次に、本発明の第１実施形態に係る産業車両の制御装置について説明する。第１実施形態に係る産業車両の制御装置１（以下、単に「制御装置１」という）は、フォークリフト１０に備えられており、走行操作状態検出手段（ディレクションレバーセンサ３９、インチングペダルセンサ４０）と、荷役コントローラ３３と、リフトレバーセンサ３６と、荷重センサ４１（荷積載重量検出手段）とを備えて構成されている。
【００３７】
走行操作状態検出手段は、作業者がフォークリフト１０の走行を意図している操作状態である走行操作状態と、作業者がフォークリフト１０の走行を意図していない操作状態である不走行操作状態とを検出するものであり、第１実施形態においては、ディレクションレバーセンサ３９およびインチングペダルセンサ４０がこの走行操作状態検出手段を構成している。
【００３８】
ディレクションレバーセンサ３９は、ディレクションレバー２５の切換位置（前進位置、後進位置、中立位置）を検出するレバー切換位置検出手段を構成している。ディレクションレバーセンサ３９は荷役コントローラ３３に接続されており、このディレクションレバーセンサ３９で検出された切換位置検出信号は荷役コントローラ３３へと入力されるようになっている。なお、ディレクションレバー２５の操作に基づいてトルクコンバータ１２が作動することになる。
【００３９】
インチングペダルセンサ４０は、インチングペダル３０の操作状態（踏込み状態）を検出するインチングペダル検出手段を構成している。インチングペダルセンサ４０は荷役コントローラ３３に接続されており、このインチングペダルセンサ４０で検出された検出信号も荷役コントローラ３３へと入力されるようになっている。なお、インチングペダル３０の踏込み操作に基づいてトルクコンバータ１２が作動するようになっている。
【００４０】
リフトレバーセンサ３６は、リフト装置１４を操作するリフト操作手段であるリフトレバー２６の操作状態を検出するリフト操作検出手段を構成している。リフトレバーセンサ３６は荷役コントローラ３３に接続されており、リフトレバーセンサ３６でのリフト操作検出信号は荷役コントローラ３３に入力されるようになっている。
【００４１】
ティルトレバーセンサ３７は、ティルトレバー２７の操作状態を検出する荷役操作検出手段を構成している。ティルトレバーセンサ３７は荷役コントローラ３３に接続されており、ティルトレバーセンサ３７でのティルト操作検出信号は荷役コントローラ３３に入力されるようになっている。
【００４２】
リフト上昇加速スイッチ３８は、フォークリフト１０の作業者がフォーク１９の上昇動作を加速された状態で行わせようとするときに押圧操作されるスイッチとして、即ち、フォーク１９の上昇速度を加速することの作業者の意思確認用のスイッチとして設けられている。
【００４３】
荷役コントローラ３３は、図示しないＣＰＵ（CentralProcessing Unit）やメモリ（ＲＯＭ（Read Only Memory）、ＲＡＭ（Random Access Memory））などを備えて構成されている。メモリには、電磁弁ユニット２３の各電磁弁の開閉制御を行って荷役アクチュエータの制御を行うためのプログラムを含む各種ソフトウェアが格納されている。これらのハードウェア及びソフトウェアが組み合わされることによって、積載安定度判断部６０（積載安定度判断手段）や昇降速度上限値設定部（昇降速度上限値設定手段）６１などが荷役コントローラ３３内に構築される。
【００４４】
昇降速度上限値設定部６１は、エンジン１１の回転数の変更可能な範囲を規制する上限値である最高回転数を異ならせることが可能なようにその最高回転数を２種類設定するようになっている。ここで、リフト装置１４はエンジン１１により駆動される油圧ポンプから供給される圧油によって作動するため、リフト装置１４の昇降速度の上限値は、エンジン１１の最高回転数に対応したものとなる。結果として、当該昇降速度上限値設定部６１は、リフト装置１４の昇降速度の変更可能な範囲を規制する上限値を２種類設定できるようになっている。
【００４５】
以下、昇降速度上限値設定部６１により設定されるリフト装置１４の昇降速度の２種類の上限値のうち、一の上限値を「通常上限値Ｌ１」と称する。また、他の上限値を「積載安定上限値Ｌ２（所定の上限値）」と称する。通常上限値Ｌ１は、主として走行性能から決定されるエンジン１１の回転数の上限値に対応したリフト装置１４の昇降速度の上限値である。一方、積載安定上限値Ｌ２は、走行性能とは関係なくリフト装置１４の性能を考慮して決定されるエンジン１１の回転数の上限値に対応したリフト装置１４の昇降速度の上限値であり、通常上限値Ｌ１よりも大きな値として定められている。また、後述するように、当該積載安定上限値Ｌ２は、一定値である場合に限らず、荷の積載状態等により、適宜変更されることもある。
【００４６】
昇降速度上限値設定部６１では、ディレクションレバーセンサ３９でディレクションレバー２５の中立位置が検出されたとき、および、インチングペダルセンサ４０でインチングペダル３０が操作されている状態であることが検出されたときの少なくともいずれか一方のときに、作業者がフォークリフト１０の走行を意図していない操作状態である不走行操作状態であると判定されるようになっている。
【００４７】
荷重センサ４１（荷積載重量検出手段）は、フォークリフト１０が積載している荷の重量を検出する。この荷重センサ４１は、例えば、リフトシリンダ２０の底部に取り付けられてそのシリンダ内の油圧を検出する圧力センサとして設けられる。リフトシリンダ２０の油圧がフォーク１９に積載された荷の重量（荷の荷重）と比例関係にあることから、その荷積載重量を間接的に検出するようになっている。そして、昇降速度上限値設定部６１には、荷重センサ４１で検出された荷積載重量が所定の閾値以下であるかどうかを判定する荷積載重量判定部６１ａが備えられている。
【００４８】
上述したように荷役コントローラ３３にてリフト装置１４の昇降速度の上限値が通常上限値Ｌ１又は積載安定上限値Ｌ２に設定されると、荷役コントローラ３３から当該上限値に対応したエンジン１１の最高回転数がエンジン制御装置３２に出力されることになる。エンジン制御装置３２では、荷役コントローラ３３から出力された最高回転数を上限値としたエンジン回転数の範囲内で、アクセル角センサ３４からの入力に従って電子スロットル４４の開度を調整してエンジン１１の回転数を制御することになる。これにより、荷役コントローラ３３にて設定されたいずれかの上限値（通常上限値Ｌ１又は積載安定上限値Ｌ２）までの範囲内で、リフト装置１４の昇降速度が制御されることになる。
【００４９】
次に、産業車両に積載される荷の情報を入力するための方法及び荷の安定度を判断する方法について説明する。
第１実施形態においては、作業者が荷情報入力部５０から荷の情報を入力できるように構成されている。荷情報入力部５０は、例えば運転席等に取付けられたタッチパネル、ボタン、キーボード等からなる入力手段であり、第１実施形態において荷姿パターン入力手段を構成している。この荷情報入力部５０は、荷役コントローラ３３に入力情報を出力するものである。この荷情報入力部５０を用いて、荷役コントローラ３３または荷情報入力部５０に予め設定登録されている複数の荷の形状及び姿勢のパターンから、作業者が作業対象となる荷と同じ形状及び姿勢、又は当該荷に近い形状及び姿勢のパターンを選択して入力することが可能である。フォークリフト１０で頻繁に扱う荷の形状及び姿勢がある程度限定されている場合には、当該荷の形状及び姿勢のパターンを登録しておくことにより、作業者による選択の煩わしさがなくなり、容易に選択可能となる。荷の形状及び姿勢のパターンの一例を図７に示す。図７に示すパターンの例においては、（ａ）は、底面の面積が広い荷のパターンであり、（ｂ）は、略立方体形状の荷のパターンであり、（ｃ）は幅、奥行き方向の寸法に比べて高さ方向の寸法が大きい荷のパターンである。
【００５０】
作業者は作業を開始する際に、荷情報入力部５０を用いて、図７に示す（ａ）〜（ｃ）のパターンの中から作業対象となる荷の形状、又は当該荷に近い形状を入力することで、当該入力データに基づいて積載安定度判断部６０により作業対象となる荷の安定度が判断される。安定度は、例えば、１０段階で、数値が大きいほど積載状態の安定性が高いとして入力データに基づいて判断することができる。具体的には、荷役コントローラ３３に記憶されたデータテーブル等により、例えば、図７に示す（ａ）のパターンが選択された場合、荷の安定度は「９」、（ｂ）のパターンが選択された場合、荷の安定度は「５」、（ｃ）のパターンが選択された場合、荷の安定度は「２」としてパターンと安定度が関連付けられており、当該データテーブルを用いて判断される。尚、後述するように、入力されたパターンの形状及び姿勢に基づいて安定度を算出することも可能である。
また、安定度は、段階的に判断される場合に限らず連続的な数値として判断することもできる。また、安定であるか否かの２値（例えば「０（不安定）」又は「１（安定）」）のいずれかとすることもできる。
【００５１】
また、上述のように、荷のパターンを入力する場合に限らず、作業者が荷の所定の代表寸法を入力できるように、荷情報入力部５０を代表寸法入力手段として構成することもできる。
この場合、作業者は、作業開始の際に、積載安定度判断部６０による安定度判断に必要な荷の所定の代表寸法を荷情報入力部５０から入力する。この所定の代表寸法は、例えば、作業対象となる荷の高さ寸法と、幅寸法と、奥行き寸法、とすることができる。積載安定度判断部６０は、荷情報入力部５０から入力された代表寸法に基づいて、荷の安定度を判断する。
【００５２】
具体的には以下に示すように安定度を判断する。
図８に、（ａ）入力された代表寸法に基づいた荷形状であって安定して載置されている状態、及び、（ｂ）荷が転倒する直前の状態、を２次元的に示す。図８（ａ）及び（ｂ）から分かるように、荷が安定して載置されている状態（ａ）から転倒直前の状態（ｂ）に移行するためには、重心位置の高さが変化する。即ち、当該重心位置の高さの変化に相当する位置エネルギーの変化分のエネルギーが荷に与えられることにより荷は転倒することになる。したがって、この重心位置の高さ変化が小さいほど転倒しやすく不安定であり、高さ変化が大きいほど転倒しにくく安定していると考えられる。これを鑑み、入力された代表寸法から図８に示すように、重心位置Ｇ１を算出（重量密度が荷全体において均一と仮定して算出）し、当該重心位置Ｇから底面までの距離ｘ１と、当該重心位置Ｇ１から底面の端部（Ｇ１に最も近い端部）までの距離ｘ２とを算出して、（ｘ２−ｘ１）の値が大きいほど安定度が高いと判断することができる。尚、２次元的な形状及び姿勢をもとに説明したが、３次元的な形状及び姿勢についても、同様に安定度の判断を行うことができる。
【００５３】
また、積載安定度判断部６０は、作業者により荷情報入力部５０から入力された代表寸法に基づいて、荷の底面の面積と荷の高さとを比較することにより、荷の安定度を判断するものであってもよい。即ち、荷の底面の面積が大きいほど、また、荷の高さが低いほど、安定度が高くなるように判断してもよい。
【００５４】
また、作業者が、産業車両に積載される荷の三次元ＣＡＤデータ等の形状データを入力できるように、荷情報入力部５０を荷形状入力手段として構成することもできる。そして、積載安定度判断部６０により、荷情報入力部５０から入力された荷の形状データに基づいて、荷の安定度を判断させることも可能である。
この場合、荷の形状データにより表現される形状（積載安定度判断部６０の判断対象となる荷形状）は、実際に作業対象となる荷の形状と略同じである。図９に（ａ）入力された代表寸法に基づいた荷形状であって安定して載置されている状態、及び、（ｂ）荷が転倒する直前の状態、を２次元的に示す。図９に示すように、入力された荷の形状データに基づいて重心位置Ｇ２を算出して（重量密度が荷全体において均一と仮定して算出）、当該重心位置Ｇ２から底面までの距離ｙ１と、当該重心位置Ｇ１から底面の端部（Ｇ２に最も近い端部）までの距離ｙ２とを算出して、（ｙ２−ｙ１）の値が大きいほど安定度が高いと判断することもできる。
尚、荷の形状データとして三次元ＣＡＤデータ以外にも、例えば、荷を撮影した画像データ等を入力し、当該画像データをもとに、積載安定度判断部６０により安定度が判断される構成としてもよい。
【００５５】
また、作業者が、産業車両に積載される荷の重心位置データを更に入力できるように、荷情報入力部５０に重心位置入力手段としての機能を追加した構成とすることもできる。
そして、積載安定度判断部６０により、荷情報入力部５０から入力された荷の重心位置データも考慮して荷の安定度を判断させるように構成してもよい。
【００５６】
図１０に（ａ）入力された代表寸法に基づいた荷形状であって安定して載置されている状態、及び、（ｂ）荷が転倒する直前の状態、を２次元的に示す。尚、図１０における荷は、上端部に重量密度が他の部分に比べて著しく大きい部分を有しているものとする。又、比較のため図１１に、下端部に重量密度が他の部分に比べて著しく大きい部分を有している荷についての、（ａ）入力された代表寸法に基づいた荷形状であって安定して載置されている状態、及び、（ｂ）荷が転倒する直前の状態、を２次元的に示す。
【００５７】
この場合、図１０に示すように、入力された重心位置データに基づいた重心位置Ｇ３との関係で安定度が判断される。即ち、当該重心位置Ｇ３から底面までの距離ｚ１と、当該重心位置Ｇ３から底面の端部（Ｇ３に最も近い端部）までの距離ｚ２とを算出して、（ｚ２−ｚ１）の値が大きいほど安定度が高いと判断することもできる。図１１に示す荷についても同様に安定度を判断して比較すると、図１０に示す荷に比べ、図１１に示す荷における（ｚ２−ｚ１）の値が大きくなることが分かる。つまり、図１０に示す荷においては、重心位置Ｇ３がより高い位置にあるため、荷は倒れ易く積載状態が不安定といえる。一方、図１１に示す荷においては、重心位置Ｇ４がより低い位置にあるため、荷は倒れにくく積載状態が安定しているといえる。
【００５８】
次に、上述した制御装置１の作動であるとともに第１実施形態に係る産業車両の制御方法について、図３乃至図５のフローチャートを参照しつつ説明する。制御装置１の作動は図３に示す処理として行われることになり、荷役コントローラ３３の作動に伴ってその荷役コントローラ３３にて周期的に行われるメインの処理に付随して行われる。すなわち、荷役コントローラ３３にて行われる所定のメイン処理が繰り返し行われる度に、図３に示す処理も繰り返し行われることになる。
【００５９】
図３に示す処理（制御装置１の作動）が開始されると、まず、ステップ１０１（以下、Ｓ１０１という。他のステップも同様）において、走行操作状態検出処理が行われる。そして、走行操作状態検出処理（Ｓ１０１）に続いて、昇降速度上限値設定処理（Ｓ１０２）が行われて、１回の図３に示す処理が終了することになる。
【００６０】
走行操作状態検出処理（Ｓ１０１）では図４に示す処理が行われ、荷役コントローラ３３にて走行操作状態または不走行操作状態が検出される。なお、図４に示す処理のフローは、走行操作状態検出処理（Ｓ１０１）の一例としてあげたものである。この図４の処理では、まず、ディレクションレバーセンサ３９によるディレクションレバー２５の中立位置の検出があったか否かが判断される（Ｓ２０１）。ディレクションレバー２５の中立位置が検出されていれば（Ｓ２０１、ＹＥＳ）、不走行操作状態が検出される（Ｓ２０３）。一方、ディレクションレバー２５の中立位置が検出されていなければ（Ｓ２０１、ＮＯ）、続いて、インチングペダルセンサ４０によるインチングペダル３０の操作の検出があったか否かが判断される（Ｓ２０２）。インチングペダル３０の操作が検出されていれば（Ｓ２０２、ＹＥＳ）、不走行操作状態が検出される（Ｓ２０３）。インチングペダル３０の操作が検出されていなければ（Ｓ２０２、ＮＯ）、ディレクションレバー２５の中立位置も検出されておらず且つインチングペダル３０の操作も検出されていないと判断され、作業者がフォークリフト１０の走行を意図している操作状態である走行操作状態と検出されるようになっている（Ｓ２０４）。走行操作状態又は不走行操作状態が検出されると、図４に示す走行操作状態検出処理（Ｓ１０１）が終了して、図３に示す処理に戻ることになる。
【００６１】
走行操作状態検出処理（Ｓ１０１）が終了すると、図３に示すように、Ｓ１０２の昇降速度上限値設定処理が行われることになる。昇降速度上限値設定処理（Ｓ１０２）では昇降速度上限値設定部６１により図５に示す処理が行われ、リフト装置１４の昇降速度の上限値が通常上限値Ｌ１または積載安定上限値Ｌ２に設定される。なお、図５に示す処理のフローは、昇降速度上限値設定処理（Ｓ１０２）の一例としてあげたものである。
【００６２】
図５の処理では、まず、不走行操作状態であるか否かが判断される（Ｓ３０１）。不走行操作状態でない、即ち、走行操作状態であると判断されたときは（Ｓ３０１、ＮＯ）、リフト装置１４の昇降速度の上限値は通常上限値Ｌ１に設定される（Ｓ３０６）。一方、不走行操作状態であると判断されたときは（Ｓ３０１、ＹＥＳ）、続いて、リフトレバーセンサ３６によるリフトレバー２６の操作があったか否かが判断される（Ｓ３０２）。
【００６３】
リフトレバー２６の操作が検出されていなければ（Ｓ３０２、ＮＯ）、通常上限値Ｌ１に設定される（Ｓ３０６）。一方、リフトレバー２６の操作が検出されていれば（Ｓ３０２、ＹＥＳ）、上述した安定度の判断方法により積載安定度判断部６０で判断された荷の積載状態の安定度が所定の安定度以上であるか否かが判断される（Ｓ３０３）。この所定の安定度は、予め荷役コントローラ３３に設定されているものである。例えば、所定の安定度が、上述した１０段階評価における「５」として、設定されていたとすると、図７におけるパターン（ｃ）（安定度：２）が選択されている場合は、安定度が所定の安定度よりも小さいため（Ｓ３０３、ＮＯ）、通常上限値Ｌ１に設定される（Ｓ３０６）。一方、図７におけるパターン（ａ）（安定度：９）又はパターン（ｂ）（安定度：５）が選択されている場合は、安定度が所定の安定度以上であるため（Ｓ３０３、ＹＥＳ）、荷積載重量が所定の重量閾値以下であるか否かの判断に移行する（Ｓ３０４）。
【００６４】
ここで、所定の重量閾値は、積載安定度判断部６０により判断される安定度に基づいて、安定度が大きいほど、閾値が大きくなるように決定される。即ち、図７におけるパターン（ｂ）（安定度：５）が選択されている場合よりも、パターン（ａ）（安定度：９）が選択されている場合のほうが、所定の重量閾値が大きくなるように決定される。
【００６５】
そして、この荷積載重量が所定の閾値以下であるか否かの判断（Ｓ３０４）において、荷積載重量が所定の閾値を越えていると判断されたときは（Ｓ３０４、ＮＯ）、通常上限値Ｌ１に設定される（Ｓ３０６）。一方、荷積載重量が所定の重量閾値以下であると判断されたときは（Ｓ３０４、ＹＥＳ）、積載安定上限値Ｌ２に設定される（Ｓ３０５）。つまり、積載している荷の重量が所定の重量閾値を越えている場合は、リフト装置１４の昇降速度の上限値を高くすることはできず、荷の重量が所定の重量閾値以下の場合に限り、当該上限値を高く（積載安定上限値Ｌ２）に設定することができる。そして、荷の安定度が高いほど、より大きな重量の荷に対しても安定した昇降が可能となるため、荷の安定度に基づいて安定度が高いほど、当該所定の重量閾値が大きくなるように設定される。尚、当該所定の重量閾値を安定度によらず、一定の値として設定することも可能である。
【００６６】
ここで、第１実施形態においては、昇降速度上限値設定部６１は、積載安定度判断部６０により判断された荷の安定度に対応するように積載安定上限値Ｌ２の値を変更して設定する。即ち、作業者が入力するデータに基づいて算出された荷の安定度が高ければ、当該積載安定上限値Ｌ２の値は大きく設定される（つまり、上限値が大きく上昇することになる）。また、安定度が低ければ当該積載安定上限値Ｌ２の値は、少なくとも通常上限値Ｌ１よりも大きい範囲で、より小さい値に設定されることになる（つまり、上限値は上昇することになるが、上昇度合いは小さくなる）。
【００６７】
例えば、図７におけるパターン（ｂ）（安定度：５）が選択されている場合においては、荷の安定度が、判断基準となる所定の安定度「５」と同等であり、積載安定上限値Ｌ２の通常上限値Ｌ１に対する増加量は少なくなる。一方、図７におけるパターン（ａ）（安定度：９）が選択されている場合は、判断基準となる所定の安定度「５」よりも著しく大きいため、当該積載安定上限値Ｌ２の値は、パターン（ｂ）が選択された場合よりも大きな値として設定されることになる。
【００６８】
リフト装置１４の昇降速度の上限値が、通常上限値Ｌ１または積載安定上限値Ｌ２に設定されると、図５に示す昇降速度上限値設定処理（Ｓ１０２）が終了して、図３に示す処理に戻ることになる。
【００６９】
図３に示す処理によってリフト装置１４の昇降速度の上限値が、通常上限値Ｌ１または積載安定上限値Ｌ２に設定されると、第１実施形態においては、通常上限値Ｌ１または積載安定上限値Ｌ２に対応したエンジン１１の最高回転数が荷役コントローラ３３からエンジン制御装置３２に入力されて、その最高回転数を上限値とした範囲でエンジン１１の回転数が制御されることになる。これにより、リフト装置１４の昇降速度は、設定された上限値以下の範囲で制御されることになる。
【００７０】
以上説明したように、実施形態の制御装置１は、荷の昇降動作を行うリフト装置１４を有する産業車両に備えられる制御装置であって、作業者が前記産業車両の走行を意図している操作状態である走行操作状態と、作業者が前記産業車両の走行を意図していない操作状態である不走行操作状態とを検出するディレクションレバーセンサ３９及びインチングペダル３０と、前記リフト装置１４を操作するリフトレバー２６の操作状態を検出するリフトレバーセンサ３６と、前記産業車両が積載している荷の重量を検出する荷重センサ４１と、前記産業車両が積載している荷の積載状態の安定度を判断する積載安定度判断部６０と、前記リフト装置による荷の昇降速度の上限値を設定する荷役コントローラ３３と、を備え、前記荷役コントローラ３３は、（１）前記ディレクションレバーセンサ３９及びインチングペダル３０で検出されている操作状態が前記不走行操作状態であり、（２）前記リフトレバーセンサ３６で前記リフトレバー２６が操作されている状態であることが検出されており、（３）前記荷重センサ４１で検出された荷の重量が所定の重量閾値以下であり、（４）前記積載安定度判断部６０で判断された荷の積載状態の安定度が所定の安定度以上であるときは、前記リフト装置による荷の昇降速度の上限値を、前記（１）〜（４）の条件の少なくともいずれか一つを満たさない場合の通常上限値Ｌ１よりも大きい積載安定上限値Ｌ２に設定する。
【００７１】
この構成によると、産業車両の操作状態、即ち、走行状態であるか否か、及び、リフト装置１４の操作がなされているか否か、に応じて、又、産業車両に積載される荷の状態、即ち、積載されている荷の重量、荷の積載状態の安定性、に応じて、リフト装置１４による荷の昇降速度の上限値を通常上限値Ｌ１または積載安定上限値Ｌ２に設定することができる。これにより、当該産業車両の性能を最大限に利用し、所定の条件を満たす場合は、より早い速度でのリフト装置による昇降動作を可能とし、作業効率の向上を図ることができる。
【００７２】
特にこの構成によれば、走行操作されていない非走行状態においてリフト装置１４の操作がなされている場合であっても、積載されている荷の重量が所定の重量閾値よりも大きい場合は、昇降速度の上限値を上昇させる（即ち、積載安定上限値Ｌ２に変更する）ことはなく、通常上限値Ｌ１として設定される。そのため、安定したリフト動作を自動的に確保することができる。
【００７３】
また、荷の積載状態の安定度を考慮して、昇降速度の上限値を上昇させる（即ち、積載安定上限値Ｌ２に変更する）構成である。そのため、不安定な積載状態でも荷崩れ等が起きないようにするために、前記上限値の上昇許可が与えられるための制限を過剰に大きく設定する必要はなくなり、より大きい上限値に設定され易くすることが可能である。これにより、リフト装置１４による昇降時における荷積載状態の安定性を確保しながら、昇降速度をより速くすることができ、作業効率を高めることが可能となる。
【００７４】
また、不走行状態で走行に影響を与えない状態であるとともにリフト装置１４の操作がされている状態のときに限り、リフト装置１４の性能を最大限に発揮させる観点でのリフト装置１４の昇降速度の上限値を設定することができる。このため、リフト装置１４の操作がされていない状態において、不要に昇降速度の上限値を上昇させることにより、例えば他の荷役アクチュエータ等の作動に影響を与えることを防ぐことができる。
【００７５】
また、所定の重量閾値は、積載安定度判断部６０により判断される安定度に基づいて、安定度が大きいほど、閾値が大きくなるように決定される構成である。
【００７６】
この構成によると、リフト装置１４の昇降速度の上限値を上昇させるか否かの判断するための所定の重量閾値が、荷の積載状態の安定度に対応した重量閾値となるため、荷の積載状態の安定性がより高ければ、より重量の大きい荷が積載されている場合にも前記上限値を上昇させることが可能となる。これにより、リフト装置１４による昇降時における荷積載状態の安定性を確保しながら、昇降速度を更に速くすることができ、作業効率を高めることが可能となる。
【００７７】
また、予め設定されている複数の荷の形状及び姿勢のパターン（図７におけるパターン（ａ）〜（ｃ））から作業者が選択して入力することが可能な荷情報入力部５０を更に備え、積載安定度判断部６０は、前記荷情報入力部５０から入力されたパターンに基づいて、荷の安定度を判断するように構成されている。
【００７８】
この構成によると、作業者は作業時において積載する荷と同様の（又はそれに近い）荷姿のパターンを選択して入力することで、容易に昇降時における荷積載状態の安定性が確保されるような昇降速度の上限値を設定することが可能となる。これにより、作業者の入力作業の負担が減り、効率よく作業を行うことが可能となる。
【００７９】
また、前記産業車両に積載される荷の所定の代表寸法を入力可能とし、積載安定度判断部６０により、前記代表寸法入力手段から入力された代表寸法に基づいて、荷の安定度を判断させる構成とした場合は、作業者は作業時において積載する荷の詳細を入力する必要はなく、代表寸法を入力することで、容易に昇降時における荷積載状態の安定性が確保されるような昇降速度の上限値を設定することが可能となる。
【００８０】
また、積載安定度判断部６０により、入力された代表寸法に基づいて、荷の底面の面積と荷の高さとを比較することにより、荷の安定度を判断させる構成とした場合は、少なくとも荷の底面の面積が算出できる寸法と荷の高さの寸法とを入力することで、少ない入力データで適切な荷の安定度判断が可能となる。したがって、容易に昇降時における荷積載状態の安定性が確保されるような昇降速度の上限値を設定することが可能となる。
【００８１】
また、前記産業車両に積載される荷の形状データを入力可能とし、積載安定度判断部６０により、入力された荷の形状データに基づいて、荷の安定度を判断させる構成とした場合は、荷の詳細形状を考慮して安定度を判断することが可能となるため、積載される荷の形状に基づいて安定度を細かく設定することができる。したがって、昇降時における荷積載状態の安定性をより確実に確保することが可能となる。
【００８２】
また、前記産業車両に積載される荷の重心位置データを入力可能とし、積載安定度判断部６０により、入力された荷の重心位置データも考慮して、荷の安定度を判断させる構成とした場合は、荷の重心位置を考慮して当該荷の安定度が判断されるため、産業車両に積載される荷の重量密度が荷全体に亘って均一でない場合であっても、適切な安定度を判断することが可能となる。
【００８３】
また、荷役コントローラ３３は、積載安定度判断部６０により判断された荷の安定度に対応するように積載安定上限値Ｌ２を変更可能な構成である。
【００８４】
この構成によると、荷が安定した状態で積載されている場合は、積載安定度判断部６０により判断された荷の安定度が大きいほど、上昇目標となる積載安定上限値Ｌ２をより大きくすることが可能になる。すなわち、積載安定度判断部６０により判断された荷の安定度が予め定められた所定の安定度以上であるか否かで昇降速度の上限値を上昇してよいか否か、即ち、積載安定上限値Ｌ２に設定してよいか否かが決定されるだけでなく、上昇が許可（積載安定上限値Ｌ２への設定が許可）された場合において、どの程度昇降速度の上限値を上昇可能とするか、即ち、上昇目標となる積載安定上限値Ｌ２の値、が安定度に基づいて決定されることになる。これにより、積載安定度判断部６０により判断された荷の安定度が予め定められた所定の安定度よりも高い場合においては、積載安定度判断部６０により判断された荷の安定度に応じて更に昇降速度の上限値を高くすることができ、リフト装置１４による昇降動作をより速く行うこと可能とする。よって、作業効率を更に高めることが可能となる。
【００８５】
（第２実施形態）
次に、本発明の第２実施形態について説明する。第２実施形態に係る産業車両の制御装置の構成は、第１実施形態に係る制御装置と、昇降速度上限値設定処理（Ｓ１０２）における制御フロー（第１実施形態において図５に示すフロー）が異なっている。その他の構成は第１実施形態と同様であるため、図６に示す昇降速度上限値設定処理（Ｓ１０２）における制御フローについてのみ説明し、他の構成の説明は省略する。尚、図６において、第１実施形態と同一ステップには同一のステップ符号を記載し、説明を省略する。
【００８６】
第２実施形態に係る産業車両の制御装置では、昇降速度上限値設定処理（Ｓ１０２）において、第１実施形態と同様に、不走行操作状態であるか否か（Ｓ３０１）、リフト操作が検出されているか否か（Ｓ３０２）、積載安定度判断部６０による判断される安定度が所定の安定度以上であるか否か（Ｓ３０３）、荷の重量が所定の重量閾値以下か否か（Ｓ３０４）が判断される。
【００８７】
そして、Ｓ３０１〜Ｓ３０４の判断が全てＹＥＳである場合、リフト上昇加速スイッチ３８の操作があったか否かが判断される（Ｓ３０７）。Ｓ３０７にてリフト上昇加速スイッチ３８の操作がなかったと判断されたときは（Ｓ３０７、ＮＯ）、リフト装置１４の昇降速度の上限値は、通常上限値Ｌ１に設定される（Ｓ３０６）。Ｓ３０７にてリフト上昇加速スイッチ３８の操作があったと判断されたときは（Ｓ３０７、ＹＥＳ）、リフト装置１４以外の荷役アクチュエータの操作の検出が無かったか否かが判断される（Ｓ３０８）。第２実施形態においては、ティルトレバーセンサ３７によるティルトレバー２７の操作の検出が無かったか否かが判断される（Ｓ３０８）。
【００８８】
Ｓ３０８にてティルトレバー２７の操作が検出されていなければ（Ｓ３０８、ＹＥＳ）、リフト装置１４の昇降速度の上限値は、積載安定上限値Ｌ２に設定される（Ｓ３０５）。一方、Ｓ３０８にてティルトレバー２７の操作が検出されていると判断されたときは（Ｓ３０８、ＮＯ）、通常上限値Ｌ１に設定される（Ｓ３０６）。リフト装置１４の昇降速度の上限値が通常上限値Ｌ１または積載安定上限値Ｌ２に設定されると、図６に示す昇降速度上限値設定処理（Ｓ１０２）が終了して、第１実施形態と同様に図３に示す処理に戻ることになる。
【００８９】
このように、リフト上昇加速スイッチ３８が操作されている状態のときに限り、積載安定上限値Ｌ２への設定を許可する構成とすることにより、作業者のリフト加速の意思の確認を確実にすることができる。また、リフト上昇加速スイッチ３８の操作で作業状態に応じてリフト装置１４の昇降速度の上限値を通常上限値Ｌ１と積載安定上限値Ｌ２とに選択することも可能となる。
【００９０】
また、リフト装置１４以外の他の荷役アクチュエータ（ティルト装置１５）が操作されていないことが確認されている状態のときに限り、積載安定上限値Ｌ２への設定を許可する構成とすることにより、リフト装置１４のみの操作のときに積載安定上限値Ｌ２に設定されるため、リフト装置１４の最大の性能を発揮するように積載安定上限値Ｌ２を設定することが可能となる。また、荷役コントローラ３３の機能に荷役操作を制限できる機能を追加し、第２実施形態において積載安定上限値Ｌ２に設定されているときは、リフト装置１４以外の他の荷役アクチュエータが操作されても作動しないように構成することもできる。この場合、積載安定上限値Ｌ２に設定されていることで、即ち、エンジン１１の最大回転数が高く設定されていることで、他の荷役アクチュエータが通常以上の速度で作動することを防ぐことができる。
【００９１】
以上、本発明の実施形態について説明したが、本発明は、上述した実施形態に限定されるものではなく、特許請求の範囲に記載した限りにおいて様々な変更が可能なものである。例えば、次のような発明を実施することもできる。
【００９２】
（１）上記実施形態では、荷の情報を入力する方法として、作業者が直接入力する方法を例示したが、必ずしも作業者が直接入力する場合に限られない。例えば、車両に設置されたカメラによる画像認識により積載される荷のサイズが自動的に入力されるように構成することも可能である。また、アウタマスト１６等にセンサを設置して荷の高さを検知できるように構成し、検知された高さが自動的に入力されるように構成することも可能である。
【００９３】
（２）上記実施形態では、通常上限値Ｌ１または積載安定上限値Ｌ２にリフト装置１４の昇降速度の上限値を設定する場合を例にとって説明したが、必ずしもこの通りでなくてもよい。例えば、通常上限値Ｌ１が、複数段階に設定されるものや無段階に設定されるものであってもよい。
【００９４】
（３）上記実施形態では、リフトレバー２６の操作状態の検出やリフト上昇加速スイッチ３８の操作の有無の検出に基づいてリフト装置１４の昇降速度の上限値設定を行う場合を例にとって説明したが、必ずしもこの通りでなくてもよい。例えば、リフトレバー２６の操作状態の検出やリフト上昇加速スイッチ３８の操作の有無の検出を考慮せず、積載安定上限値に設定するものであってもよい。
【００９５】
（４）上記実施形態では、リフト装置１４以外の他の荷役アクチュエータとしてティルト
装置１５を例示したが、これ以外にもフォークを水平に移動させるフォークシフト装置や
ロール状の荷を把持するためのロールクランプ装置などのアタッチメント装置であっても
よい。
【００９６】
（５）上記実施形態では、産業車両としてトルクコンバータ式のフォークリフト１０を例示したが、クラッチ機構によって、エンジン１１とエンジン１１により駆動される走行機構部１３とがギヤを介して連結され、および、その連結が解除される構成であってもよい。この場合、走行操作状態検出処理（Ｓ１０１）において、クラッチペダルの踏込み状態を検出するクラッチペダルセンサを走行操作状態検出手段として構成することができる。
【００９７】
（６）上記実施形態では、産業車両として、エンジン式のフォークリフト１０を例示したが、バッテリに蓄えられた電力により、電動機を駆動することにより、走行、荷役動作を行うバッテリ式のフォークリフトの制御装置として構成してもよい。即ち、バッテリの電力により荷役用の電動機を駆動し、本実施形態における油圧ポンプ２２を駆動させる構成としてもよい。この場合、上記実施形態で示したエンジン１１の最大回転数には、バッテリの電力により駆動する荷役用の電動機の最大回転数が対応し、リフト装置の昇降速度の上限値を設定するために、当該荷役用の電動機の最大回転数を設定することになる。尚、バッテリ式フォークリフトにおいて、インチングペダル、クラッチペダル等がない場合は、ディレクションレバーの操作状態の検出のみにより、走行操作状態検出処理（本実施形態におけるＳ１０１）を行うことも可能である。
【図面の簡単な説明】
【００９８】
【図１】本発明の第１実施形態に係る産業車両としてのフォークリフトを例示した斜視図である。
【図２】本発明の第１実施形態に係る産業車両の制御装置の構成を産業車両の一部とともに示す概略構成図である。
【図３】図２に示す制御装置の作動の一例を説明するフロー図である。
【図４】図２に示す制御装置の作動の一例を説明するフロー図である。
【図５】図２に示す制御装置の作動の一例を説明するフロー図である。
【図６】第２実施形態に係る昇降速度上限値設定処理におけるフロー図である。
【図７】荷の形状及び姿勢のパターンの一例を示す図である。
【図８】荷の形状及び姿勢から安定度を判断するための模式図である。
【図９】荷の形状及び姿勢から安定度を判断するための模式図である。
【図１０】荷の形状及び姿勢から安定度を判断するための模式図である。
【図１１】荷の形状及び姿勢から安定度を判断するための模式図である。
【符号の説明】
【００９９】
１    制御装置（産業車両の制御装置）
１０  フォークリフト（産業車両）
１４  リフト装置
２０  リフトシリンダ
２６  リフトレバー（リフト操作手段）
３３  荷役コントローラ
３６  リフトレバーセンサ（リフト操作検出手段）
３９  ディレクションレバーセンサ（走行操作状態検出手段）
４０  インチングペダル（走行操作状態検出手段）
４１  荷重センサ（荷積載重量検出手段）
５０  荷情報入力部
６０  積載安定度判断部（積載安定度判断手段）
６１  昇降速度上限値設定部（昇降速度上限値設定手段）
【図１】
2008127178.tif 000003
【図２】
2008127178.tif 000004
【図３】
2008127178.tif 000005
【図４】
2008127178.tif 000006
【図５】
2008127178.tif 000007
【図６】
2008127178.tif 000008
【図７】
2008127178.tif 000009
【図８】
2008127178.tif 000010
【図９】
2008127178.tif 000011
【図１０】
2008127178.tif 000012
【図１１】
2008127178.tif 000013